(57)【要約】【課題】浴室と脱衣室とを一体空間として利用可能なミストサウナシステム並びにその運転方法、及びミストサウナ用ユニットバスを提供する。【解決手段】ミストサウナシステム１は、浴室４・脱衣室３・洗面化粧ユニット１０を一体構成として備えたユニットバス２と、浴室天井部に浴室暖房乾燥機５と、浴室暖房乾燥機５に付設されたミスト親機６ａと、脱衣室天井部にミスト子機６ｂと、を備えている。浴室４と脱衣室３との間には、中扉７が設けられている。両室は、中扉７を開にすることにより一体スペースとして利用でき、また、全閉にすることにより独立した空間となるように構成されている。脱衣室３の内面側は入口扉３ａ、仕切り扉１０ａを含め、全て防水加工が施されている。ユニットバス２の床面２ｂは、脱衣室３から排水口２ｃに向かって緩やかな角度θを以って傾斜しており、ミスト運転時に脱衣室床面に滴下した水が滞留しないように構成されている。【選択図】図１（ａ）
2008128537.tif 000002
【特許請求の範囲】
【請求項１】
浴室と、防水加工された脱衣室と、全閉状態において両者を区画し、開状態において両者を一体空間とする中扉と、を備えたユニットバスと、
浴室及び脱衣室上部に、それぞれ温水ミスト又は冷水ミストを発生させる第一のミスト発生装置及び第二のミスト発生装置と、
第一のミスト発生装置と第二のミスト発生装置を単独又は同時にミスト運転する手段と、を備えて成ることを特徴とするミストサウナシステム。
【請求項２】
浴室上部に浴室暖房乾燥機をさらに備え、かつ、前記第一のミスト発生装置及び前記第二のミスト発生装置の温水ミストは、該浴室暖房乾燥機の循環温水を利用するものであることを特徴とする請求項１に記載のミストサウナシステム。
【請求項３】
前記脱衣室に外気を導入する外気導入手段と、
外気導入と前記第二のミスト発生装置によるミスト運転とを同時に行う手段と、
をさらに備えて成ることを特徴とする請求項１又は２に記載のミストサウナシステム。
【請求項４】
前記外気導入手段が、前記浴室暖房乾燥機に設けた外気導入ダクトと、前記浴室暖房乾燥機と前記第二のミスト発生装置とを接続する給気ダクトと、を含んで構成されたものであることを特徴とする請求項１乃至３に記載のミストサウナシステム。
【請求項５】
前記外気導入手段が、前記第二のミスト発生装置に設けた外気導入ダクトを含んで構成されたものであることを特徴とする請求項１乃至３に記載のミストサウナシステム。
【請求項６】
前記浴室暖房乾燥機と前記第二のミスト発生装置とを接続する換気ダクトと、をさらに備えて成ることを特徴とする請求項１乃至５に記載のミストサウナシステム。
【請求項７】
前記浴室暖房乾燥機は、脱衣室を含む一以上の部屋の換気を常時行う換気装置を備えたものであることを特徴とする請求項１乃至６に記載のミストサウナシステム。
【請求項８】
請求項１乃至７に記載のミストサウナシステムにおいて、前記中扉全閉の状態で、浴室内又は脱衣室内に導入した外気に、前記第一又は第二のミスト発生装置により冷水ミストを噴霧して、導入外気を冷却することを特徴とするミストサウナシステムの運転方法。
【請求項９】
請求項１乃至７に記載のミストサウナシステムにおいて、前記中扉全閉の状態で、
前記第一のミスト発生装置により温水ミスト運転を行うステップと、
前記浴室暖房乾燥機により浴室及び脱衣室の換気運転を行うステップと、
脱衣室内に導入した外気に、前記第二のミスト発生装置により冷水ミストを噴霧して、外気を冷却するクールダウン運転を行うステップと、
前記浴室暖房乾燥機により浴室及び脱衣室の乾燥運転を行うステップと、
を含むことを特徴とするミストサウナシステムの運転方法。
【請求項１０】
請求項９において、脱衣室内に導入した外気に、前記第二のミスト発生装置により冷水ミストを噴霧して、冷水ミスト外気を冷却するクールダウン運転を行うステップに替えて、
浴室内に導入した外気に、前記第一のミスト発生装置により冷水ミストを噴霧して、外気を冷却するクールダウン運転を行うステップ、
を含むことを特徴とするミストサウナシステムの運転方法。
【請求項１１】
請求項９又は請求項１０において、中扉全閉に替えて中扉開の状態とし、かつ、
前記第一又は前記第二のミスト発生装置により温水ミスト運転するステップに替えて、前記第一のミスト発生装置及び前記第二のミスト発生装置により温水ミスト運転するステップを含むことを特徴とするミストサウナシステムの運転方法。
【請求項１２】
請求項９又は請求項１０において、前記第一または前記第二のミスト発生装置により温水ミスト運転を行うステップに替えて、前記浴室暖房乾燥機により浴室暖房を行うステップを含むことを特徴とするミストサウナシステムの運転方法。
【請求項１３】
請求項９又は請求項１０に記載のミストサウナシステムにおいて、前記第一又は前記第二のミスト発生装置により温水ミスト運転を行う際に、脱衣室内に外気を導入するステップを含むことを特徴とするミストサウナシステムの運転方法。
【請求項１４】
浴室と、防水加工された脱衣室と、
全閉状態において両者を区画し、かつ、開状態において両者を一体空間とする中扉と、
脱衣室から浴室方向に向かって排水を滞留させないように傾斜させた床面と、
を備えて成ることを特徴とするミストサウナシステム用ユニットバス。
【発明の詳細な説明】
【技術分野】
【０００１】
本発明は、ミストサウナシステム並びにその運転方法、及びミストサウナ用ユニットバスに係り、特に浴室と脱衣室とを一体空間として利用可能なミストサウナシステム等に関する。
【背景技術】
【０００２】
従来、住宅に用いられる工業化浴室（ユニットバス）は、浴槽と洗い場で構成されており、ユニットバスに隣接して（洗面）脱衣室が配置される構成が標準的であった。このようなユニットバスの効率的空間利用を目的として、浴槽と洗い場とをスライドドアで区画可能とする技術が提案されている（例えば特許文献１）。この技術によれば、洗い場を脱衣室スペースとしても利用することが可能となる。しかしながら、このようなユニットバスでは、複数人の同時入浴に対応できないという問題がある。
【０００３】
さらに、近年、新たな入浴スタイルとしてミストサウナ浴が注目されているが、従来のユニットバスでは浴室内のミストが脱衣室空間に流れ込んでしまうという不都合が生じる。これを回避する技術として、浴室と脱衣室の間にサブ浴室を設ける技術が提案されている（例えば特許文献２）。これによればミスト処理の問題は解消するものの、従来のユニットバスと比較して大きなスペースが必要となり、限られた居住空間の効率的利用という要請に反する。
【特許文献１】特開平９−２２８５２７号公報
【特許文献２】特開２００３−１０５９８４号公報
【発明の開示】
【発明が解決しようとする課題】
【０００４】
本発明は上記課題を解決するためのものであって、限られた浴室空間を複数の用途に使え、かつ、快適なミストサウナ浴を可能とするミストサウナシステム関連技術を提供するものである。
【課題を解決するための手段】
【０００５】
本発明は、以下の内容を要旨とする。すなわち、
請求項１の発明は、浴室と、防水加工された脱衣室と、全閉状態において両者を区画し、開状態において両者を一体空間とする中扉と、を備えたユニットバスと、浴室及び脱衣室上部に、それぞれ温水ミスト又は冷水ミストを発生させる第一のミスト発生装置及び第二のミスト発生装置と、第一のミスト発生装置と第二のミスト発生装置を単独又は同時にミスト運転する手段と、を備えて成ることを特徴とするミストサウナシステムである。
【０００６】
上記において、浴室上部に浴室暖房乾燥機をさらに備え、かつ、前記第一のミスト発生装置及び前記第二のミスト発生装置の温水ミストは、該浴室暖房乾燥機の循環温水を利用するものであることを特徴とする（請求項２）。
上記において、前記脱衣室に外気を導入する外気導入手段と、外気導入と前記第二のミスト発生装置によるミスト運転とを同時に行う手段と、をさらに備えて成ることを特徴とする（請求項３）。
上記において、外気導入手段が、前記浴室暖房乾燥機に設けた外気導入ダクトと、前記浴室暖房乾燥機と前記第二のミスト発生装置とを接続する給気ダクトと、を含んで構成されたものであることを特徴とする（請求項４）。
上記において、外気導入手段が、前記第二のミスト発生装置に設けた外気導入ダクトを含んで構成されたものであることを特徴とする（請求項５）。
上記において、浴室暖房乾燥機と前記第二のミスト発生装置とを接続する換気ダクトと、をさらに備えて成ることを特徴とする（請求項６）。
上記において、浴室暖房乾燥機は、脱衣室を含む一以上の部屋の換気を常時行う換気装置を備えたものであることを特徴とする（請求項７）。
【０００７】
請求項８の発明は、上記各ミストサウナシステムにおいて、前記中扉全閉の状態で、脱衣室内に導入した外気に、前記第二のミスト発生装置により冷水ミストを噴霧して、導入外気を冷却することを特徴とするミストサウナシステムの運転方法である。
【０００８】
請求項９の発明は、上記各ミストサウナシステムにおいて、前記中扉全閉の状態で、前記第一のミスト発生装置により温水ミスト運転を行うステップと、前記浴室暖房乾燥機により浴室及び脱衣室の換気運転を行うステップと、脱衣室内に導入した外気に、前記第二のミスト発生装置により冷水ミストを噴霧して、外気を冷却するクールダウン運転を行うステップと、前記浴室暖房乾燥機により浴室及び脱衣室の乾燥運転を行うステップと、を含むことを特徴とするミストサウナシステムの運転方法である。
【０００９】
この場合、「脱衣室内に導入した外気に、前記第二のミスト発生装置により冷水ミストを噴霧して、冷水ミスト外気を冷却するクールダウン運転を行うステップ」に替えて、「浴室内に導入した外気に、前記第一のミスト発生装置により冷水ミストを噴霧して、外気を冷却するクールダウン運転を行うステップ」を含むことを特徴とする（請求項１０）。
さらに、中扉全閉に替えて中扉開の状態とし、かつ、前記第一のミスト発生装置により温水ミスト運転するステップに替えて、前記第一のミスト発生装置及び前記第二のミスト発生装置により温水ミスト運転するステップを含むことを特徴とする（請求項１１）。
さらに、前記第一のミスト発生装置により温水ミスト運転を行うステップに替えて、前記浴室暖房乾燥機により浴室暖房を行うステップを含むことを特徴とする（請求項１２）。
さらに、前記第一のミスト発生装置により温水ミスト運転を行う際に、脱衣室内に外気を導入するステップを含むことを特徴とする（請求項１３）。
【００１０】
請求項１４の発明は、浴室と、防水加工された脱衣室と、全閉状態において両者を区画し、かつ、開状態において両者を一体空間とする中扉と、脱衣室から浴室方向に向かって排水を滞留させないように傾斜させた床面と、を備えて成ることを特徴とするミストサウナシステム用ユニットバスである。
【発明の効果】
【００１１】
本発明のミストサウナシステムによれば、種々の形態のミストサウナが可能となる。特に、浴室暖房乾燥機の暖房、乾燥、換気機能を利用する発明にあっては、これらの機能とミスト発生装置の機能を組み合わせることにより、浴室・脱衣室を極めて機能的に利用することが可能となる。
また、脱衣室に外気導入すると同時にクールダウン運転を行う発明にあっては、外気を冷却することによりミスト浴後のクールダウンが可能となる。
本発明のユニットバスによれば、中扉を全閉にすることにより、従来通り独立した浴室及び脱衣室として使える。また、中扉を開にすることにより一体の広い浴室として使え、多人数での入浴も可能となる。また、洗い場＋脱衣場のフロアに寝転がって、あるいはリラグゼーション・チェア等を置いて、リラックス空間として利用することもできる。また、ヨガや体操をする空間としても利用可能となる。
【発明を実施するための最良の形態】
【００１２】
以下、本発明に係るミストサウナシステムの各実施形態について、図１乃至１４を参照してさらに詳細に説明する。なお、符号重複による煩雑を避けるため、各図において同一構成には同一符号を用いて示している。また、本発明の範囲は特許請求の範囲記載のものであって、以下の実施形態に限定されないことはいうまでもない。
【００１３】
（第一の実施形態）
図１（ａ）は、ミストサウナシステム１を構成するユニットバス２の側断面の構成を示す図である。同図（ｂ）は、ユニットバス２の上断面の構成を示す図である。図２は、ユニットバス２天井部に設けられた浴室暖房乾燥機５、ミスト親機６ａ及びミスト子機６ｂの詳細構成を示す図である。図３乃至６は、本実施形態--の各運転形態を示す図である。
【００１４】
図1（ａ）及び（ｂ）を参照して、ミストサウナシステム１は、浴室４と洗面化粧ユニット１０を備えた脱衣室３を一体構成として備えたユニットバス２と、浴室天井部に浴室暖房乾燥機５と、浴室暖房乾燥機５に付設されたミスト親機６ａと、脱衣室天井部にミスト子機６ｂと、を主要構成として備えている。浴室４内部には浴槽８が一体構成として設けられている。浴室４と脱衣室３との間には、中扉７が設けられている。両室は、中扉７を図１（ｂ）の如く折り畳んで開にすることにより、一体スペースとして利用することが可能となる。また、中扉７を全閉にすることにより、両室は完全に独立した空間となるように構成されている。ユニットバス２への出入りは入口扉３ａにより行うことができる。また、洗面化粧ユニット１０は、仕切り扉１０ａを開くことにより利用できる。脱衣室３の内面側は入口扉３ａ、仕切り扉１０ａを含め、全て防水加工が施されており、後述のクールダウン運転に支障がないように構成されている。なお、上記脱衣室３は、洗面化粧ユニットを備えない構成であってもよい。ユニットバス２の床面２ｂは、脱衣室３から排水口２ｃに向かって緩やかな角度θを以って傾斜しており、後述の各種ミスト運転時に脱衣室床面に滴下した水が滞留しないように構成されている。
【００１５】
図２を参照して、本システムのミストサウナ系統はミスト親機６ａ、ミスト子機６ｂ、給水配管Ｗ１乃至Ｗ３、温水配管Ｈ３、Ｈ４を主要構成として備えている。ミスト親機６ａ内は熱交換器Ｅ２を備えており、熱源機（図示せず）から温水配管Ｈ３、Ｈ４を介して供給される循環温水により、給水配管Ｗ１を介して供給される市水を加熱して温水とする。さらに、浴室暖房乾燥機５又はミスト子機６内に設けられたミストノズルＭ１、Ｍ２から温水を噴霧するように構成されている。
【００１６】
次に給気系統は、浴室暖房乾燥機５のサブチャンバー５ｂに接続する給気ダクトＡ１と、サブチャンバー５ｂとミスト子機６ｂとを接続する給気ダクトＡ２を備えている。給気ダクトＡ１の上流側には、外気導入用の給気ファン（図示せず）が配設されている。さらに、図示を省略するが、各給気ダクトには必要な開閉制御用ダンパが設けられている。これらにより、給気ダクトＡ１を介して吸い込んだ外気を脱衣室３側に供給することを可能としている。なお、給気ダクトＡ２は後述するように暖房用ダクトＡ３にも接続している。
【００１７】
次に暖房系統は、浴室暖房乾燥機５のメインチャンバー５ａに配設される熱交換器Ｅ１と、温水配管Ｈ１、Ｈ２と、サブチャンバー５ｂ内を貫通してメインチャンバー５ａと給気ダクトＡ２を接続する暖房用ダクトＡ３と、開閉制御用ダンパＤ１と、を主要構成として備えている。これらにより、循環ファンＦ１により浴室内空気を吸い込み、温水配管Ｈ１、Ｈ２により供給される循環温水と熱交換器Ｅ２熱交換させて温風とし、ダンパＤ１を介して浴室に戻すことを可能としている。さらに、後述する脱衣室３乾燥時には、メインチャンバー５ａ内の温風を暖房用ダクトＡ３→給気ダクトＡ２を経由してミスト子機６ｂの給気チャンバー６ｃに導き、脱衣室３に温風を吹き出すことを可能としている。
【００１８】
次に換気系統は、サブチャンバー５ｂに接続する換気ダクトＢ１と、サブチャンバー５ｂとミスト子機６ｂとを接続する換気ダクトＢ２と、換気ファンＦ２と、各換気ダクト開閉制御用ダンパ（図示せず）を備えている。なお、メインチャンバー５ａとサブチャンバー５ｂ間は隔壁５ｃにより区画されており、また、同図には示されないが換気時に浴室４から吸い込む空気を、温風の経路とは異なる経路でサブチャンバー５ｂ間に導くよう構成されている。これらにより脱衣室３又は浴室４内空気を、最終的に換気ダクトＢ１を介して外部に排気することを可能としている。さらに、図示を省略するが、各換気ダクトにも必要な開閉制御用ダンパが設けられている。
【００１９】
ミストサウナシステム１は以上のように構成されており、次に、表１及び図３乃至７を参照して本実施形態の運転制御態様について説明する。なお運転制御は、浴室暖房乾燥機５内の制御部（図示せず）の指令に基づいて行われる（以下の各実施形態においても同様）。
【００２０】
【表１】
2008128537.tif 000003
【００２１】
＜浴室ミスト運転＞
図３を参照して、本運転制御中、中扉７は全閉状態とされる（ステップＳ１１１）。次いで浴室ミスト運転が行われる（ステップＳ１１２）。この場合、暖房系統の開閉弁Ｖ１、Ｖ２開、循環ファンＦ１運転、ダンパＤ１開となる。これにより、浴室内空気は、ルーバＲ１からメインチャンバー５ａに取り込まれ、熱交換器Ｅ１を通過して温風となり、ダンパＤ１を介して浴室４に戻される。浴室内が一定温度に達すると開閉弁Ｖ３開となり、給水配管Ｗ１から供給される水は熱交換器Ｅ２を通過して温水となり、給水配管Ｗ２を経由してノズルＭ１から噴霧される（ステップＳ１１２）。このようにして浴室ミスト運転が行われる。
【００２２】
＜換気運転＞
浴室ミスト運転終了後、一定時間、換気運転が行われる（ステップＳ１１３）。図４を参照して、この場合、給気・換気系統については換気ファンＦ２運転となる。開閉弁は全て閉である。これにより浴室４及び脱衣室３内空気は、同図矢印の経路を辿って換気ダクトＢ１を介して屋外に排出される。
【００２３】
＜クールダウン運転＞
換気運転終了後、脱衣室３においてクールダウン運転が行われる（ステップＳ１１４）。図５を参照して、この場合、給水系統については開閉弁Ｖ４開、Ｖ３閉となる。暖房系統の開閉弁は全て閉となる。これにより給水配管Ｗ１、Ｗ３を経由してミスト子機６ｂに市水が供給され、ノズルＭ２から冷水ミストが噴霧される。
一方、給気・換気系統については、給気ダクトＡ１を介して取り込まれた外気は、給気ダクトＡ２を経由して給気チャンバー６ｃ、さらに脱衣室３から吹き出される。導入された外気は、天井部から噴霧されたミストに蒸発潜熱を奪われて温度低下して冷風となり、浴室４においてミストサウナ浴を行った後のクールダウンが実現できる。
なお、クールダウン運転では、冷水のミストを浴室内に噴霧する通常の冷水ミスト運転とは異なり、導入された外気と混合したミストが蒸発して利用者に達しない程度の量の冷水ミストを噴霧することが望ましい。また、ミストノズルＭ２の位置を給気チャンバー内部に設置するか、該ミストノズルの上流で分岐して、給気チャンバー内で導入された外気と冷水ミストを混合し、冷風を作る構造としてもよい。  
【００２４】
＜乾燥運転＞
クールダウン運転終了後、浴室４及び脱衣室３乾燥のため乾燥運転が行われる（ステップＳ１１５）。図６を参照して、この場合、給気・換気系統については、循環ファンＦ１、換気ファンＦ２とも運転、ダンパＤ１開となる。また、暖房系統についてはＶ２開、Ｖ１閉となる。給水系統はＯＦＦ状態となる。これにより浴室４及び脱衣室３に温風が供給され、さらに浴室・脱衣室内の空気は、最終的に換気ダクトＢ１を介して外部に排出される。このようにしてミスト運転により高湿度となった浴室・脱衣室の乾燥を実現することができる。
【００２５】
（第二の実施形態）
次に、表２及び図７乃至１０を参照して、本システムの他の運転制御態様について説明する。本実施形態は、中扉７開（浴室・脱衣室を開放）して利用することを特徴とする。
【００２６】
【表２】
2008128537.tif 000004
【００２７】
＜全室ミスト運転＞
図７を参照して、本運転制御において中扉７は開状態にされる（ステップＳ１２１）。次いで全室ミスト運転が行われる（ステップＳ１２２）。本ステップにおいて、暖房系統開閉弁Ｖ１、Ｖ２開、循環ファンＦ１運転、ダンパＤ１開となる。これにより、浴室内及び脱衣室内の空気は、ルーバＲ１からメインチャンバー５ａに取り込まれ、さらに熱交換器Ｅ１を通過して温風となり、ダンパＤ１を経由して浴室４に戻され、及びダクトＡ３→ダクトＡ２を経由して脱衣室３に供給される。室内温度が所定温度に達すると開閉弁Ｖ３、Ｖ４開となり、温水が給水配管Ｗ２、Ｗ３を経由してノズルＭ１、Ｍ２から温水ミスト状態で噴霧される。このようにして全室ミスト運転が行われる。
【００２８】
＜換気運転＞
次に図８を参照して、全室ミスト運転終了後、換気運転が行われる（ステップＳ１２３）。本ステップ中、換気ファンＦ２運転となる。なお、開閉弁Ｖ１乃至Ｖ４は全て閉となる。これにより、浴室４及び脱衣室３内空気は、同図矢印の経路を辿って最終的に換気ダクトＢ１を介して屋外に排出される。
【００２９】
＜クールダウン運転＞
換気運転終了後、クールダウン運転が行われる（ステップＳ１２４）。このステップにおける各開閉弁、ダンパ、ミストノズル、ファン等の作動態様は第一の実施形態におけるステップＳ１１４と同一であるので、図示及び説明を省略する。
＜乾燥運転＞
クールダウン運転終了後、最後に乾燥運転が行われる（ステップＳ１２５）。このステップにおける各開閉弁、ダンパ、ミストノズル、ファン等の作動態様についても第一の実施形態（ステップＳ１１５）と同一であるので、図示及び説明を省略する。
【００３０】
（第三の実施形態）
さらに、表３及び図９を参照して本システムの他の運転制御態様について説明する。本実施形態は、浴室を暖房して入浴した後に脱衣室においてクールダウンを行うことを特徴とする。
【００３１】
【表３】
2008128537.tif 000005
【００３２】
＜暖房運転＞
本運転制御中、中扉７は全閉状態とされる（ステップＳ１３１）。次いで入浴中、浴室暖房運転が行われる（ステップＳ１３２）。この場合、暖房系統の開閉弁Ｖ２開、Ｖ１閉、循環ファンＦ１運転、ダンパＤ１開となる。その他の開閉弁、ダンパは閉となる。これにより、浴室内空気は、ルーバＲ１からメインチャンバー５ａに取り込まれ、さらに熱交換器Ｅ１を通過して温風となり、ダンパＤ１を経由して浴室４に戻される。
＜換気運転＞
入浴後、換気運転が行われる（ステップＳ１３３）。このステップにおける各開閉弁、ダンパ、ミストノズル、ファン等の作動は第一の実施形態におけるステップＳ１１３と同一であるので、図示及び説明を省略する。
【００３３】
＜クールダウン運転＞
換気運転終了後、クールダウン運転が行われる（ステップＳ１３４）。このステップにおける各開閉弁、ダンパ、ミストノズル、ファン等の作動は第一の実施形態におけるステップＳ１１４と同一であるので、図示及び説明を省略する。
【００３４】
＜乾燥運転＞
最後に乾燥運転が行われる（ステップＳ１３５）。このステップにおける各開閉弁、ダンパ、ミストノズル、ファン等の作動についても第一の実施形態におけるステップＳ１１５と同一であるので、図示及び説明を省略する。
【００３５】
（第四の実施形態）
さらに、表４及び図１０を参照して本システムの他の運転制御態様について説明する。本実施形態は、脱衣室３において衣類乾燥を行うことを特徴とする。
【表４】
2008128537.tif 000006
【００３６】
本運転制御において中扉７は全閉状態にされている（ステップＳ１４１）。次いで脱衣室３において乾燥運転が行われる（ステップＳ１４２）。本ステップにおいて、開閉弁Ｖ１は開、Ｖ１、Ｖ３、Ｖ４閉となる。また、循環ファンＦ１、換気ファンＦ２運転となる。これによりメインチャンバー５ａに取り込まれた浴室内空気は熱交換器Ｅ１を通過して温風となり、給気ダクトＡ３→給気ダクトＡ２→給気チャンバー６ｃの経路を経て脱衣室３に供給される。さらに、衣類乾燥により高湿度となった脱衣室内空気は、換気チャンバー６ｄに取り込まれ、さらに換気ダクトＢ２→サブチャンバー５ｂ→換気ダクトＢ３の経路で外部に排出される。
【００３７】
（第五の実施形態）
さらに、本発明の他の実施形態について説明する。図１１は、本実施形態に係るミストサウナシステム２０を示す図である。ミストサウナシステム２０の構成が第一の実施形態に係るミストサウナシステム１と異なる点は、給気・換気系統である。すなわち、ミストサウナシステム１の浴室暖房乾燥機５は、換気用サブチャンバー５ｂを備えていたが、本システムの浴室暖房乾燥機２１では、これに替えて２４時間換気用チャンバー２１ｃが付設されている。チャンバー２１ｃには換気ダクトＢ３、Ｂ４が接続されており、それぞれ脱衣室３及びトイレ（図示せず）からの換気を常時、換気ファンＦ３で吸引し、換気ダクトＢ３により外部に排出するように構成されている。また、チャンバー２１ｂとチャンバー２１ｃを区画する隔壁２１ｄにはダンパＤ２が取り付けられており、換気時にはダンパＤ２を開にして、浴室４から吸い込んだ空気を換気ダクトＢ３に導くよう構成されている。さらに、第一の実施形態では浴室暖房乾燥機５に給気ダクトＡ１が接続されていたのに対して、本実施形態ではミスト子機２２ｂ自体に給気ダクトＡ４が接続されており、上流側に配設される給気ファン（図示せず）で外気を導入し、脱衣室３に供給するように構成されている点が異なる。その他の構成については第一の実施形態と同一であるので、説明を省略する。
【００３８】
次に、表５及び図１１乃至１４を参照して本実施形態の運転制御態様について説明する。
【表５】
2008128537.tif 000007
【００３９】
＜浴室ミスト運転＞
図１１を参照して、本運転制御中、中扉７は全閉状態とされる（ステップＳ１５１）。次いで浴室ミスト運転が行われる（ステップＳ１５２）。この場合、暖房系統の開閉弁Ｖ１、Ｖ２開、循環ファンＦ１運転、ダンパＤ１開となる。これにより、浴室内空気は、ルーバＲ１からチャンバー２１ｂに取り込まれ、さらに熱交換器Ｅ１を通過して温風となり、ダンパＤ１を経由して浴室４に戻される。浴室内が一定温度に達すると開閉弁Ｖ３開となり、給水配管Ｗ１から供給される水は熱交換器Ｅ２を通過して温水となり、給水配管Ｗ２を経由してノズルＭ１から噴霧される。このようにして浴室ミスト運転が行われる。
この間、脱衣室３では給気運転が行われ、外気が脱衣室３に取り込まれる（ステップＳ１５３）。これにより脱衣室３側は正圧となり、浴室４側の高湿度空気が脱衣室３側に流出することを抑制できる。なお、換気ファンＦ３が常時運転であるため、脱衣室内空気はチャンバー６ｄ→換気ダクトＢ２→換気チャンバー２１ｃ→換気ダクトＢ３の経路で外部に排出されるが、給気量＞換気量であるため正圧は維持される。
【００４０】
＜換気運転＞
浴室ミスト運転終了後、次に一定時間換気運転が行われる（ステップＳ１５４）。図１２を参照して、本ステップにおいて給気・換気系統はダンパＤ１閉となる。また、換気ファンＦ２運転となる。なお、開閉弁は全て閉となる。これにより浴室４及び脱衣室３内空気は、同図矢印の経路を辿り最終的に換気ダクトＢ３を介して屋外に排出される。
【００４１】
＜クールダウン運転＞
換気運転終了後、脱衣室３においてクールダウン運転が行われる（ステップＳ１５５）。図１３を参照して、本ステップにおいて給水系統は、開閉弁Ｖ４開、Ｖ３閉となる。暖房系統の開閉弁は全て閉である。これにより給気ダクトＡ４を介して取り込まれた外気は、給気チャンバー２２ｃに供給され、さらにルーバＲ２を介して脱衣室３に供給される。一方、給水配管Ｗ１、Ｗ２を経由してミスト子機６ｂに市水が供給され、ノズルＭ２から常温のミストが噴霧される。これにより、導入された外気は天井部から噴霧されたミストに蒸発潜熱を奪われて温度低下して冷風となり、浴室４においてミストサウナ浴を行った後のクールダウンが実現できる。
＜乾燥運転＞
クールダウン運転終了後、浴室４及び脱衣室３乾燥のための乾燥運転が行われる（ステップＳ１５６）。図１４を参照して、本ステップにおいてダンパＤ１開となる。また、暖房系統については開閉弁Ｖ２開、Ｖ１閉となる。給水系統は開閉弁Ｖ１、Ｖ４閉となる。これにより浴室４及び脱衣室３に温風が供給され、かつ、ミスト運転により高湿度となった浴室・脱衣室内の空気は、換気ダクトＢ３を介して外部に排出される。
なお、本実施形態では、脱衣室３に外気を導入してノズルＭ２から噴霧されるミストにより冷風を発生させる形態としたが、浴室４に外気を導入してノズルＭ１から噴霧されるミストにより冷風を発生させる形態とすることもできる（以下の実施形態における該当ステップにおいても同様）。
（第六の実施形態）
さらに、表６を参照して本発明の他の実施形態について説明する。本実施形態の構成は、第五の実施形態に係るミストサウナシステム２０と同一であるので、図示及び説明を省略する。本実施形態は、中扉７開にして全室ミスト運転を行う点が第五の実施形態と異なる。表６のステップＳ１６１乃至Ｓ１６５における各部の作動は第五の実施形態と同様であるので、図示及び説明を省略する。
【００４２】
【表６】
2008128537.tif 000008
【００４３】
（第七の実施形態）
さらに、表７を参照して本発明の他の実施形態について説明する。本実施形態は、入浴後に脱衣室においてクールダウンを行うことを特徴とする。本実施形態の構成も、第五の実施形態に係るミストサウナシステム２０と同一である。但し、第五の実施形態ではステップＳ１５２で浴室ミスト運転するのに対して、本実施形態では暖房運転する点が異なる。表７のステップＳ１７１乃至Ｓ１７６における各部の作動は、第五の実施形態における該当ステップと同様であるので、図示及び説明を省略する。
【表７】
2008128537.tif 000009
【００４４】
（第八の実施形態）
さらに、表８及び図１５を参照して本発明の他の実施形態について説明する。本実施形態は、脱衣室３内で衣類乾燥を行うことを特徴とする。本実施形態の構成も、第五の実施形態に係るミストサウナシステム２０と同一である
本運転制御において中扉７は全閉状態にされている（ステップＳ１８１）。次いで脱衣室３において乾燥運転が行われる（ステップＳ１８２）。本ステップにおいて、開閉弁Ｖ２開、Ｖ１、Ｖ３、Ｖ４閉となる。また、循環ファンＦ１、換気ファンＦ２運転となる。これによりメインチャンバー２１ｂに取り込まれた浴室内空気は、熱交換器Ｅ１を通過して温風となり、給気ダクトＡ３→給気ダクトＡ２→給気チャンバー２２ｃの経路を経て脱衣室３に供給される。さらに、衣類乾燥により高湿度となった脱衣室内空気は、換気チャンバー２２ｄに取り込まれ、さらに換気ダクトＢ２→換気チャンバー２１ｃ→換気ダクトＢ３の経路で外部に排出される。
【表８】
2008128537.tif 000010
【００４５】
なお、上述のミストサウナシステム１、２０において、ミスト子機６ｂは熱交換器を備えず、ミスト親機６ａから温水の供給を受ける形態としたが、独立して熱交換器を備える形態とすることもできる。
また、給気ファンを外部に備える形態としたが、浴室暖房乾燥機又はミスト子機に備える形態とすることもできる。
【産業上の利用可能性】
【００４６】
本発明は、熱源、用途等を問わず、浴室と脱衣室でミストサウナ浴を行うシステムに広く利用可能である。
【図面の簡単な説明】
【００４７】
【図１（ａ）】第一の実施形態に係るミストサウナシステム１の側断面を示す図である。
【図１（ｂ）】ユニットバス２の上断面の構成を示す図である。
【図２】浴室暖房乾燥機５、ミスト親機６ａ及びミスト子機６ｂの詳細構成を示す図である。
【図３】第一の実施形態（中扉７全閉）における浴室ミスト運転制御を示す図である。
【図４】同上における換気運転制御を示す図である。
【図５】同上におけるクールダウン運転制御を示す図である。
【図６】同上における乾燥運転制御を示す図である。
【図７】第二の実施形態（中扉７開）における全室ミスト運転制御を示す図である。
【図８】同上における換気運転制御を示す図である。
【図９】第三の実施形態（中扉７全閉）における暖房運転制御を示す図である。
【図１０】第四の実施形態（中扉７全閉）における衣類乾燥運転制御を示す図である。
【図１１】第五の実施形態（中扉７全閉）に係るミストサウナシステム２０の浴室ミスト運転制御を示す図である。
【図１２】同上における換気運転制御を示す図である。
【図１３】同上におけるクールダウン運転制御を示す図である。
【図１４】同上における乾燥運転制御を示す図である。
【図１５】第八の実施形態（中扉７全閉）に係るミストサウナシステム２０の脱衣室衣類乾燥運転制御を示す図である。
【符号の説明】
【００４８】
１、２０      ミストサウナシステム
２        ユニットバス
３        脱衣室
４        浴室
５、２１        浴室暖房乾燥機
５ａ、２１ｂメインチャンバー
５ｂ、２１ｃサブチャンバー
６ａ        ミスト親機
６ｂ、２２ｂ        ミスト子機
６ｃ、２２ｃ        給気チャンバー
６ｄ、２２ｄ        換気チャンバー
７        中扉
１０      洗面化粧ユニット
Ａ１、Ａ２、Ａ４        給気ダクト
Ａ３        暖房用ダクト
Ｂ１、Ｂ２、Ｂ３        換気ダクト
Ｄ１〜Ｄ８        開閉制御用ダンパ
Ｅ１、Ｅ２        熱交換器
Ｆ１        循環ファン
Ｆ２、Ｆ３        換気ファン
Ｈ１、Ｈ３        温水配管
Ｍ１，Ｍ２        ミストノズル
Ｖ１〜Ｖ４        開閉弁
Ｗ１〜Ｗ３        給水配管
【図１（ａ）】
2008128537.tif 000011
【図１（ｂ）】
2008128537.tif 000012
【図２】
2008128537.tif 000013
【図３】
2008128537.tif 000014
【図４】
2008128537.tif 000015
【図５】
2008128537.tif 000016
【図６】
2008128537.tif 000017
【図７】
2008128537.tif 000018
【図８】
2008128537.tif 000019
【図９】
2008128537.tif 000020
【図１０】
2008128537.tif 000021
【図１１】
2008128537.tif 000022
【図１２】
2008128537.tif 000023
【図１３】
2008128537.tif 000024
【図１４】
2008128537.tif 000025
【図１５】
2008128537.tif 000026